(57)【要約】【目的】保持フレームを２つ並べて使用しても、隣接するフレーム間に隙間の発生しないレンジフード用フィルターの保持フレームを提供する。【構成】四角枠状保持フレームの四辺各々を伸縮可能に構成したレンジフード用フィルターの保持フレームであって、滑動可能に嵌込んだ第１部材２０と第２部材３０の各上外側に重なり合って滑動変位可能な第１鍔２１と第２鍔３１とをそれぞれ設け、且つ第１鍔２１と第２鍔３１の外周側直線状端面２１ａ，３１ａを面一に構成してある。【選択図】      図１６
2004190867.tif 000002
【特許請求の範囲】
【請求項１】
四角枠状保持フレームの四辺各々を伸縮可能に構成したレンジフード用フィルターの保持フレームであって、滑動可能に嵌込んだ第１部材（２０）と第２部材（３０）の上外側に重なり合って滑動変位可能な第１鍔（２１）と第２鍔（３１）とをそれぞれ設け、且つ第１鍔（２１）と第２鍔（３１）の外周側直線状端面（２１ａ，３１ａ）を面一に構成してなるレンジフード用フィルターの保持フレーム。
【発明の詳細な説明】
【０００１】
【発明の属する技術分野】本発明はレンジフード用のフィルターを保持するためのフレームに関するものである。
【０００２】
【従来の技術】レンジフードの種類は多く、その寸法がそれぞれ異なるので、購入者は使用しているレンジフードの寸法に合ったフレームを選ぶ必要があり、その選択が案外面倒である。また、横方向のみならず、縦方向へも伸縮でき、あらゆる寸法のレンジフードに使用することのできるレンジフード用フィルターの保持フレーム５０があるが、図１及び図２に示す如く、外角筒５１内に内角筒５２を挿入しているので、外角筒５１の肉厚Ｔだけ断差が出来る。レンジフードは横方向に長いので、図１に示す如く複数個並べて使用する。そうすると、段差の部分が下から隙間５３となって見えるので、見苦しくなると共に、レンジフード内に油や塵埃が侵入する。
【０００３】
【発明が解決しようとする課題】２つ以上並べて使用しても、隣接する保持フレーム５０，５０間に隙間５３の発生しないレンジフード用フィルターの保持フレームを提供しようとするものである。
【０００４】
【課題を解決するための手段】図３〜図１７を参考にして説明する。この発明に係るレンジフード用フィルター保持フレームは、四角枠状保持フレームの四辺各々を伸縮可能に構成したレンジフード用フィルターの保持フレームであって、滑動可能に嵌込んだ第１部材２０と第２部材３０の上外側に重なり合って滑動変位可能な第１鍔２１と第２鍔３１とをそれぞれ設け、且つ第１鍔２１と第２鍔３１の外周側直線状端面２１ａ，３１ａを面一に構成してなるものである。
【０００５】
【発明の実施の形態】本発明に係るレンジフード用フィルターの保持フレームの一実施形態を、図３乃至図１５に示す。この保持フレームは、フレーム本体１０と保持枠体４０とで構成される。
【０００６】
フレーム本体１０は、第１鍔２１と下側水平片２２とを傾斜片２３で連結した断面略Ｚ字状で、かつ、平面略Ｌ字状の第１部材２０を、四つ組み合わせて矩形状としている。また、隣接する第１部材２０間に、第２鍔３１と下側水平部３３とを傾斜部３２で連結した同じく断面略Ｚ字状で、平面長板状であり、かつ、第２鍔３１から内方へ係止片３４を突設した第２部材３０を、当該第１部材２０に重合状態でスライド自在に介在させている。これによって、第１部材２０を、縦方向と横方向の両方へ伸縮自在としている。また、保持枠体４０は、フレーム本体１０に組付き、そのフレーム本体１０との間でフィルター１を挟持するものである。
【０００７】
そして、フレーム本体１０を、それを構成する第１部材２０の下側水平片２２の中央部分に、第２部材３０を侵入させた状態でガイドするガイド部２４を設けると共に、両先端部に固定部２５を突設し、また、第２部材３０の下側水平部３３の両先端部に、固定部２５に当接する当接部３５を突設して構成している。
【０００８】
さらに、保持枠体４０を、四つの枠棒４１を、各先端部間に一定の間隔を設けて略矩形状に配すると共に、先端部同士を内方に湾曲する棒状のバネ材４２で連結し、対向する枠棒４１を、長筒４４内に細棒４５を進退自在に侵入させた伸縮部材４３で連結して構成している。
【０００９】
またさらに、対向する二つの第１部材２０のそれぞれに、内方に向けて扁平筒状の補強ガイド２６を設け、その二つの補強ガイド２６間に、補強板２７をスライド自在に挿入している。２８はＵ形の締付具で、下側水平片２２に枢軸２８ａを介して回転自在に枢着されており、枢軸２８ａを支点に回動させることにより、下側水平片２２と下側水平部３３を同時に弾性挟持して、下側水平片２２と下側水平部３３の相対変位を阻止する。
【００１０】
そして、フレーム本体１０を構成する第１鍔２１の直線状端面２１ａと第２鍔３１の直線状端面３１ａは面一に構成してあり、これにより、複数の保持フレームを縦及び横のいずれの方向に並べて使用しても、その間に隙間が発生しない（図１１・図１５参照）。これにより、レンジフード内に油や塵埃が侵入するのを防ぐ。
【００１１】
一実施形態におけるレンジフード用フィルターの保持フレームの作用について説明する。まず、この保持フレームのフレーム本体１０が収縮状態にあるときは、隣接する第１部材２０の固定部２５同士が当接した状態にある（図４参照）。
当該フレーム本体１０は、それを構成する第１部材２０と第２部材３０を共に、断面略Ｚ字状に設定し、かつ、二つの補強ガイド２６間に補強板２７を設けているので、機械的強度に優れる。従って、レンジフードにより安定姿勢で組付き、また、フィルター１をより確実に保持することができる。さらに、第１部材２０と第２部材３０を共に略Ｚ字状とし、両者を重合状態でスライド自在に組付けているので、垂直片と垂直部が係合し合い、第２部材３０が第１部材２０から離脱し難い。
【００１２】
この状態から、フレーム本体１０を拡張するには、四つの第１部材２０を外方へ向けて、縦方向と横方向（またはどちらか一方）へ引っ張る。これによって、各第１部材２０が縦および横方向へスライドして伸長する（図１１および図１２参照）。このとき、第１部材２０は、スライド自在な第２部材３０によって連結されているので、当該第２部材３０を介して円滑に伸長する。
【００１３】
なお、第１部材２０をそのまま伸長方向に続けてスライドさせると、第２部材３０の当接部３５が第１部材２０の固定部２５に当接し、それ以上のスライドを阻止する。この状態が最大拡張限である。
【００１４】
一実施形態におけるフレーム本体１０は、二つの補強ガイド２６間に、補強板２７をスライド自在に介在させているので、各第１部材２０は安定姿勢で円滑にスライドすることができる。また、伸長後におけるフレーム本体１０は、十分な機械的強度を発揮することができる。
【００１５】
フレーム本体１０をレンジフードに対応した大きさに設定した後、第１部材２０の下側水平片２２と第２部材３０の下側水平部３３の上にフィルター１を載せ、その上から保持枠体４０を載せ、当該保持枠体４０を第２部材３０の係止片３４で上から係止する。これにより、フィルター１を、フレーム本体１０と保持枠体４０とで挟持した状態で保持する。
【００１６】
この際、保持枠体４０は、バネ材４２の弾力に逆らって収縮させてフィルター１上に載せた後、解放する。解放された保持枠体４０は、バネ材４２の弾性復帰力によって拡張するので、その枠棒４１が、第１部材２０の傾斜片２３と第２部材３０の傾斜部３２に弾接する。従って、当該保持枠体４０は、異なる大きさに設定されるフレーム枠体に対応することができる。なお、伸縮部材４３の細棒４５は、枠棒４１の動きに応じて、長筒４４内へより深く侵入し、また復帰する。
【００１７】
フレーム本体１０を収縮するには、上記の場合とは逆に、各第１部材２０を内方へスライドさせる。そして、所望の大きさに設定した後、フィルター１を載せた後、その上に保持枠体４０を載せ、係止片３４で止める。この場合も、保持枠体４０は、バネ材４２および伸縮部材４３の作用によって弾性収縮するので、容易にフレーム本体１０に取付けることができる。
【００１８】
このように、一実施形態における保持フレームは、フレーム本体１０の第１部材２０を横方向のみならず縦方向へも自在にスライドさせて、所望の大きさに拡張および収縮することができる。また、保持枠体４０は弾性変形するので、あらゆる大きさのフレーム本体１０にも取付けることができる。従って、寸法の異なるあらゆるレンジフードに使用することができる。
【００１９】
図１６及び図１７は他の実施形態を示すもので、図３〜図１５の第２部材３０をＬ字状に形成し、第１部材２０を２個としたもので、図１６のＡ−Ａ，Ｂ−Ｂ，Ｃ−Ｃ，はそれぞれ図５，図６，図７に相当し、補強ガイド２６及び補強板２７を設けないものに使用できる。
【００２０】
【発明の効果】第１鍔２１の直線状端面２１ａと第２鍔３１の直線状端面３１ａとが面一に構成されているので、複数の保持フレームを縦横のいずれの方向に並べて使用しても、隣接する保持フレーム間に隙間が発生しないので、レンジフード内に油や塵埃が侵入するのを防ぐと共に見栄えを向上させることが出来る。
【図面の簡単な説明】
【図１】従来の保持フレームの一例の平面図である。
【図２】図１のＨ−Ｈ断面拡大図である。
【図３】本発明におけるフレーム本体の一実施形態を示す分解平面図である。
【図４】図３の組立図である。
【図５】図３のＡ−Ａ断面拡大図である。
【図６】図３のＢ−Ｂ断面拡大図である。
【図７】図３のＣ−Ｃ断面拡大図である。
【図８】図３のＤ−Ｄ断面拡大図である。
【図９】図３のＥ−Ｅ断面拡大図である。
【図１０】図３のＦ−Ｆ断面拡大図である。
【図１１】本発明におけるフレーム本体の実施形態を示す平面図である（拡張状態）。
【図１２】図１１の背面図である。
【図１３】本発明における保持枠体の実施形態を示す平面図である。
【図１４】図１３のＧ−Ｇ線拡大断面図である。
【図１５】フレーム本体を二つ並べて使用する際の状態を示す要部断面図である。
【図１６】本発明におけるフレーム本体の他の実施形態を示す分解平面図である。
【図１７】図１６の組立図である。
【符号の説明】
１      フィルター
１０    フレーム本体
１１    直角面
２０    第１部材
２１    第１鍔
２１ａ    直線状端面
２２    下側水平片
２３    傾斜片
２４    ガイド部
２５    固定部
２６    補強ガイド
２７    補強板
２８    締付具
２８ａ    枢軸
３０    第２部材
３１    第２鍔
３１ａ    直線状端面
３２    傾斜部
３３    下側水平部
３４    係止片
３５    当接部
４０    保持枠体
４１    枠棒
４２    バネ材
４３    伸縮部材
４４    長筒
４５    細棒
５０    保持フレーム
５１    外角筒
５２    内角筒
５３    隙間
Ｔ      外角筒の肉厚
【図１】
2004190867.tif 000003
【図２】
2004190867.tif 000004
【図３】
2004190867.tif 000005
【図４】
2004190867.tif 000006
【図５】
2004190867.tif 000007
【図６】
2004190867.tif 000008
【図７】
2004190867.tif 000009
【図８】
2004190867.tif 000010
【図９】
2004190867.tif 000011
【図１０】
2004190867.tif 000012
【図１１】
2004190867.tif 000013
【図１２】
2004190867.tif 000014
【図１３】
2004190867.tif 000015
【図１４】
2004190867.tif 000016
【図１５】
2004190867.tif 000017
【図１６】
2004190867.tif 000018
【図１７】
2004190867.tif 000019